(57)【特許請求の範囲】
【請求項１】
２層以上の吸収材からなり、実質的に縦長の形状を有する、吸収性物品の吸収体であって、
第１吸収材と第１吸収材に隣接して該第１吸収材より肌当接面側に位置する第２吸収材とを具備し、第１吸収材及び第２吸収材は、それぞれ、長手方向の両側部に切込部を有し、且つ第１吸収材の切込部と第２吸収材の切込部とがそれぞれの少なくとも一部において重なって閉鎖用開口領域を形成しており、
閉鎖用開口領域の相対向する一対の縁部の一方又は両方の側において、該縁部に直交する方向における、閉鎖用開口領域に近づく方向を前方、該閉鎖用開口領域から遠ざかる方向を後方としたときに、第２吸収材の切込部の縁部が第１吸収材の切込部の縁部よりも後退した位置に存在し、閉鎖用開口領域の縁部から該縁部に直交する方向の吸収体内部方向に向かって吸収材の層数が増加するようになされている、吸収性物品の吸収体。
【請求項２】
各吸収材の平均坪量が６００ｇ／ｍ2以下であり、吸収体の平均坪量が２５０〜７００ｇ／ｍ2である請求項１記載の吸収性物品の吸収体。
【請求項３】
閉鎖用開口領域の相対向する一対の縁部の両方が、第１吸収材の切込部の縁部又は第２吸収材の切込部の縁部により形成されている請求項１又は２記載の吸収性物品の吸収体。
【請求項４】
閉鎖用開口領域の相対向する一対の縁部の少なくとも一方が、第１吸収材の切込部の縁部により形成され、該閉鎖用開口領域の該一方の縁部から３〜２０ｍｍ離間した位置に、第２吸収材の切込部の縁部が位置している請求項１〜３の何れかに記載の吸収性物品の吸収体。
【請求項５】
閉鎖用開口領域が、吸収体の長手方向に離間した複数個所に形成されており、各閉鎖用開口領域を形成する第１及び第２切込部の開放端が、何れも該吸収体の長手方向の一方の端部側に向いている請求項１〜４の何れかに記載の吸収性物品の吸収体。
【請求項６】
使い捨ておむつの吸収体であり、該吸収体をその長手方向の全長を３等分して腹側部、中央部及び背側部に区分したときの、腹側部及び／又は背側部に前記閉鎖用開口領域が形成されている請求項１〜５の何れかに記載の吸収性物品の吸収体。
【請求項７】
請求項１〜６の何れかに記載の吸収性物品の吸収体を具備する吸収性物品。
【発明の詳細な説明】
【技術分野】
【０００１】
本発明は、吸収性物品の吸収体に関する。
【背景技術】
【０００２】
使い捨ておむつの吸収体は、おむつの製造工程においては、平面的な形状をなしており、おむつ使用時に、各部の弾性部材の収縮作用により立体的な形状とされるのが一般的である。しかし、立体的な形状となる際に、吸収体に不規則なシワが生じて、装着感が悪化することがある。
特に、充分な吸収容量を確保するために２層以上の吸収材を積層してなる吸収体において装着感の悪化の程度が大きい。
【０００３】
特許文献１には、着用者の腹側に配される部分の吸収体に折曲案内部を形成した使い捨ておむつが記載されており、該公報には、折曲案内部を有する吸収体を着用者の胴部に密着させる手段についての記載がある。
【０００４】
【特許文献１】特開２００３−２７５２３６号公報
【発明の開示】
【発明が解決しようとする課題】
【０００５】
しかし、特許文献１記載のおむつは、折曲案内部を有する吸収体を胴部に密着させた際に吸収体にシワが生じる恐れがあり、特に吸収容量を高めるために吸収材の坪量を高めたり、複数の吸収材を重ね合わせたりした場合には、吸収体のシワによる違和感は大きいものとなり、装着感の低下は免れない。また、吸収体に発生する不規則なシワは、防漏効果の低減にもつながるためその抑制が求められている。
【０００６】
従って、本発明の目的は、立体的な形状に変形しても不規則なシワが発生しにくく、吸収容量を維持ないし向上させつつ、装着感の向上を図ることのできる、吸収性物品の吸収体を提供することにある。
【課題を解決するための手段】
【０００７】
本発明は、２層以上の吸収材からなり、実質的に縦長の形状を有する、吸収性物品の吸収体であって、第１吸収材と第１吸収材より肌当接面側に位置する第２吸収材とを具備し、第１吸収材及び第２吸収材は、それぞれ、長手方向の両側部に切込部を有し、且つ第１吸収材の切込部と第２吸収材の切込部とがそれぞれの少なくとも一部において重なって閉鎖用開口領域を形成しており、閉鎖用開口領域の縁部から該縁部に直交する方向の吸収体内部方向に向かって吸収材の層数が増加するようになされている、吸収性物品の吸収体を提供することにより前記目的を達成したものである。
【発明の効果】
【０００８】
本発明の吸収性物品の吸収体は、立体的な形状に変形しても不規則なシワが発生しにくく、吸収容量を維持ないし向上させつつ、装着感の向上を図ることができる。
【発明を実施するための最良の形態】
【０００９】
以下、本発明をその好ましい実施形態に基づいて説明する。
本実施形態の吸収性物品の吸収体４は、図１〜図３に示すように、使い捨ておむつ、特にパンツ型の使い捨ておむつに好ましく用いられる吸収体である。
吸収体４は、図３及び図４に示すように、２層以上の吸収材からなり、実質的に縦長の形状を有している。
吸収体４は、第１吸収材４１と、吸収体４の厚み方向において第１吸収材４１より肌当接面側に位置する第２吸収材４６とを具備し、第１吸収材４１及び第２吸収材４６は、それぞれ、長手方向の両側部に２対の切込部４２，４３，４７，４８を有し、且つ第１吸収材４１の切込部４２，４３と第２吸収材４６の切込部４７，４８とがそれぞれの少なくとも一部において重なって閉鎖用開口領域４０，４５を形成しており、各閉鎖用開口領域４０，４５の縁部から該縁部に直交する方向の吸収体内部方向に向かって吸収材４１，４６の層数が増加するようにされている。尚、第１吸収材４１及び第２吸収材４６それぞれの長手方向は、吸収体４の長手方向と同じ方向（図４において上下方向）とする。
【００１０】
本実施形態の吸収体４について、より詳細に説明する。
本実施形態の吸収体４における閉鎖用開口領域４０，４５は、図４（ａ）に示すように、吸収体４を、該吸収体４の長手方向の全長Ｌを３等分して腹側部４Ａ、中央部４Ｃ及び背側部４Ｂに区分したときの、腹側部４Ａ及び背側部４Ｂにそれぞれ一対形成されている。
吸収体４の長手方向の一方の側部に形成された閉鎖用開口領域４０，４５と他方の側部に形成された閉鎖用開口領域４０，４５とは、吸収体４の長手方向に延びる中央線に対して左右対称に形成されている。
【００１１】
腹側部４Ａに形成された閉鎖用開口領域４０は、概ね、図５（ａ）中に散点状のドットを付して示す領域であり、第１吸収材４１に形成された切込部４２〔図４（ｂ）参照〕の一部と、第２吸収材４６に形成された切込部４７〔図４（ｃ）参照〕の一部とが、吸収体４の厚み方向に重なって形成されている。従って、閉鎖用開口領域４０には、第１吸収材４１及び第２吸収材４６の何れも存在しない。
閉鎖用開口領域４０は、図５に示すように、相対向する一対の縁部４０１，４０２を有し、図５（ｂ）に示すように、一方の縁部４０１は、第１吸収材の切込部の縁部４２１により形成され、他方の縁部４０２は、第１吸収材の切込部の縁部４２１及び第２吸収材の切込部の縁部４７１により形成されている。
【００１２】
閉鎖用開口領域４０の前記一方の縁部４０１側においては、図５（ｂ）に示すように、前記縁部４０１から該縁部４０１に直交する方向（吸収体の平面視において吸収体が延びる方向に直交する方向）の吸収体内部方向〔図５（ｂ）の左方向〕に向かって吸収材の層数が増加している。即ち、吸収体４の前記縁部４０１近傍は、第１吸収材４１のみからなるが、該縁部４０１から該縁部４０１に直交する方向に所定幅Ｌ１離間した部位には、第２吸収材４６の縁部４７１が位置しており、それより先は、吸収材の層数が２層となっている。
【００１３】
背側部４Ｂに形成された閉鎖用開口領域４５は、概ね、図６（ａ）中に散点状のドットを付して示す領域であり、第１吸収材４１に形成された切込部４３〔図４（ｂ）参照〕の一部と、第２吸収材４６に形成された切込部４８〔図４（ｃ）参照〕の一部とが、吸収体４の厚み方向に重なって形成されている。従って、閉鎖用開口領域４５には、第１吸収材４１及び第２吸収材４６の何れも存在しない。
閉鎖用開口領域４５は、図６に示すように、相対向する一対の縁部４０１，４０２を有し、図６（ｂ）に示すように、何れの縁部４０１，４０２も、第１吸収材の切込部の縁部４３１により形成されている。閉鎖用開口領域４５においては、相対向する何れの縁部４０１，４０２側においても、第１吸収材の切込部の縁部４３１の位置よりも第２吸収材の切込部の縁部４８１が後退した位置に位置しており、その結果、何れの縁部４０１，４０２側においても、縁部から該縁部に直交する方向の吸収体内部方向に向かって吸収材の層数が増加している。
【００１４】
本実施形態の吸収体４は、例えば上述した使い捨ておむつ１に組み込まれて用いられると、該おむつ１が、弾性部材の収縮作用等により、図１に示すような立体的な形状に変形することに伴って、図５（ｃ）及び図６（ｃ）に示すように、腹側部４Ａの閉鎖用開口領域４０及び背側部Ｂの閉鎖用開口領域４５がそれぞれ閉鎖され、該吸収体４も立体的な形状に変形する。ここでいう閉鎖には、閉鎖用開口領域が完全あるいはほぼ完全に閉じる場合のみならず、閉鎖用開口領域の相対向する一対の側縁間の距離が短くなる場合も含まれる。
【００１５】
本実施形態の吸収体４によれば、閉鎖用開口領域４０及び４５を有するため、吸収体４が、吸収性物品に配された弾性部材の収縮作用等により、各閉鎖用開口領域又はその近傍において屈曲して容易に立体形状に変形する。そして、そのように変形しても、図５（ｃ）及び図６（ｃ）に示すように、閉鎖用開口領域を挟んで存在する、第１吸収材４１又は第２吸収材４６の縁部同士がぶつかることが防止されるため、吸収体４に不規則なシワが生じることを防止でき、着用者等に違和感を与えることを防止することができる。第１吸収材４１の切込部の縁部が、第２吸収材４６の切込部の縁部より後退した位置に位置している場合には、吸収体４が立体形状に変形した際に第２吸収材４６の縁部同士がぶつかりやすい状態になるが、ぶつかっても、吸収材の層数がすくない部分がぶつかるため、吸収体４に不規則なシワが生じることを防止でき、着用者等に違和感を与えることを防止することができる。
【００１６】
本発明における閉鎖用開口領域は、本実施形態における前記閉鎖用開口領域４０，４５のように、相対向する一対の縁部４０１，４０２の一方又は両方の側において、第２吸収材４６の切込部の縁部が、第１吸収材４１の切込部の縁部より後退した位置に位置していることが好ましく、前記閉鎖用開口領域４５のように、相対向する一対の縁部４０１，４０２の両方の側において、第２吸収材４６の切込部の縁部が、第１吸収材４１の切込部の縁部より後退した位置に位置していることがより好ましい。
【００１７】
また、本発明における閉鎖用開口領域は、本実施形態における前記閉鎖用開口領域４５のように、相対向する一対の縁部４０１，４０２の何れもが、第１吸収材の切込部の縁部４３１により形成されているか、又は、相対向する一対の縁部４０１，４０２の何れもが、第２吸収材の切込部の縁部により形成されていることが、吸収体のシワを一層防止する観点から好ましい。
【００１８】
また、本発明における閉鎖用開口領域は、本実施形における前記閉鎖用開口領域４０のように、閉鎖用開口領域の相対向する一対の縁部４０１，４０２のうちの一方の縁部４０１側のみにおいて、第１吸収材の切込部の縁部４２１の位置と第２吸収材の切込部の縁部４７１の位置とが、閉鎖用開口領域の該縁部４０１に直交する方向にずれている場合、そのずれ幅Ｌ１〔図５（ｂ）参照〕は、３〜２０ｍｍであることが好ましく、６〜１５ｍｍであることがより好ましい。
他方、本実施形における閉鎖用開口領域４５のように、閉鎖用開口領域の相対向する一対の縁部４０１，４０２のうちの何れの縁部４０１側においても、第１吸収材の切込部の縁部４３１の位置と第２吸収材の切込部の縁部４８１の位置とが、閉鎖用開口領域の該縁部４０１，４０２それぞれに直交する方向にずれている場合、そのずれ幅Ｌ２〔図６（ｂ）参照〕は、３〜２０ｍｍであることが好ましく、３〜１２ｍｍであることがより好ましい。
【００１９】
閉鎖用開口領域の縁部から３ｍｍ〜２０ｍｍ離間した位置に第２吸収材の切込部の縁部が位置すると、閉鎖用開口領域の閉鎖性とシワの発生防止の両方を同時に達成することが容易となる。３ｍｍ以上とすることにより、閉鎖時に第２吸収材の切込部縁部同士がぶつかり合って、シワが発生することを確実に防止でき、２０ｍｍ以下とすることにより、おむつ等の着用時における、閉鎖用開口領域の閉鎖性が悪化することを防止することができる。
【００２０】
本発明の吸収体においては、吸収体が２層以上の吸収材からなるため、吸収容量の維持ないし向上を図りつつ、吸収体に不規則なシワが生じることを防止することができる。即ち、単一の吸収材からなる吸収体に切込部を入れた場合には、その坪量の増大とともに、吸収体が立体形状とされたときに、切込部近傍にシワが発生しやすくなり、装着感の低下は免れない。本発明では、吸収体を複数の層に分け、それぞれにおける切込部の形状を変化させ、それらを重ねて閉鎖用開口領域を形成することにより、吸収容量の維持ないし向上を図りつつ、吸収体のシワの発生を抑制することができる。
【００２１】
本実施形態の吸収体４においては、各吸収材４１，４６の平均坪量が６００ｇ／ｍ2以下であり、且つ吸収体の平均坪量が２５０〜７００ｇ／ｍ2であることが好ましい。
各吸収材４１，４６それぞれの平均坪量を６００ｇ／ｍ2以下とすることにより、閉鎖用開口領域が閉鎖したときに吸収材にシワが発生し、該シワが装着感等に悪影響を及ぼすことを防止することができる。各吸収材４１，４６の平均坪量は、５００ｇ／ｍ2以下であることがより好ましい。各吸収材４１，４６の平均坪量の下限値は、特に制限されるものではないが、吸収容量確保の点からは、６０ｇ／ｍ2以上、特に９０ｇ／ｍ2以上とすることが好ましい。
吸収体の平均坪量が２５０ｇ／ｍ2未満の場合は、本発明の技術を用いなくともシワの程度が小さく違和感も少ないが、使い捨ておむつのように、比較的吸収容量が要求される吸収性物品の吸収体については充分な吸収容量を確保することが難しくなる。他方、吸収体の平均坪量を７００ｇ／ｍ2以下とすることにより、吸収容量は十分確保できると共に、吸収体の柔軟性の低下により閉鎖用開口領域の閉鎖性が低下し、装着感とともに吸収体の肌への密着性が低下することを防止することができる。吸収体の平均坪量は、３５０〜６００ｇ／ｍ2であることが、十分な吸収容量を確保しつつ優れた装着感と吸収体の肌への密着性を容易に実現できることからより好ましい。
【００２２】
各吸収材４１，４６の平均坪量は、各吸収材毎に、面積及び重量を測定し、重量を面積で除して算出する。
吸収体の平均坪量は、各吸収材の重量の総和を各吸収材が積層されて形成された積層物の外縁部で囲まれた面積で除して算出する。
【００２３】
また、吸収体４は、第２吸収材４１の平均坪量が、第１吸収材４７の平均坪量よりも小さいことが、閉鎖用開口領域４０，４５の閉鎖時に、第２吸収材の切込部の縁部同士がぶつかってシワが生じても、その程度が小さく、違和感等の不都合が防止することができるので好ましい。
また、第２吸収材の切込部の縁部同士がぶつかった際のシワの程度を抑制するためには、第２吸収材の剛性を低下させておくことが好ましく、その手段としては第２吸収材を、吸収性ポリマーを含まない繊維組成物（パルプ、レーヨン、アセテートトウ等の繊維組成物あるいは、それらの組み合わせ）から構成することが好ましい。
【００２４】
吸収体を構成する吸収材としては、パルプ繊維等の繊維の積繊物やパルプ繊維等の繊維と高吸水性ポリマーとの混合積繊物あるいはパルプ繊維等の積繊物の間に高吸水性ポリマーを散布したもの等、あるいは、それらにアセテートトウなどの繊維を含ませたり、紙や不織布等を組み合わせたりしたもの等を用いることができる。切込部４２，４３，４７，４８は、第１及び第２吸収材の一部を切除して形成したり、繊維の積繊物や高吸収性ポリマーとの混合積繊物を積繊する際に、切込部に相当する箇所に繊維等が堆積しないようにすることにより形成することができる。吸収体４は、繊維の積繊物や繊維と高吸水性ポリマーとの混合積繊物等からなる吸収材を、それぞれ、あるいは複数を積層したものであり、第１吸収材、第２吸収材以外の吸収材を含んでいても良い。吸収体４は、柔軟な薄紙や不織布等で被覆してもよく、閉鎖用開口領域にそのような柔軟な薄紙等が存在するものであっても良いが、吸収体４に不規則なシワが生じることを防止する観点から、薄紙等が閉鎖用開口領域の形状におおよそ沿うように切り取られていることが好ましい（切り取りという手段でなくても結果としてそのような形状になっていれば良い）。
【００２５】
本実施形態の吸収体４においては、一対の閉鎖用開口領域４０，４０と一対の閉鎖用開口領域４５，４５とが、吸収体４の長手方向に離間して形成されており、図４（ｂ）及び図４（ｃ）に示すように、各閉鎖用開口領域４０，４０，４５，４５を形成する切込部４２，４３，４７，４８の開放端４２ａ，４３ａ，４７ａ，４８ａが、何れも該吸収体４の長手方向の一方の端部（背側部側の端部）４Ｅ側（図４中の下方）に向いている。
閉鎖用開口領域を形成する総ての切込部を、それらの開放端が、吸収体の長手方向の両端部のうちの何れか一方の端部側に向くように形成することにより、吸収体の生産性が向上し、従来設備の大幅な改造を必要とすることなく比較的簡易で安価に製造することができる。切込部の一方が腹側方向、他方が背側方向を向いている場合には、生産時に進行方向と反対側に向いた切込部周辺において、風圧によって吸収体の一部に折れ千切れ等が発生しやすく、生産効率の低下を招く恐れがある。
【００２６】
本実施形態の吸収体４は、図１〜図３に示すように使い捨ておむつ１に組み込まれて使用される。使い捨ておむつ１に組み込まれた状態において、吸収体４の前記閉鎖用開口領域４５は、着用者の臀部付近に当接する部位に位置し、前記閉鎖用開口領域４０は、着用者の腹部付近に当接する部位に位置している。
着用者の臀部又は腹部付近は、着用者の胴周り方向の曲率が大きい部位であるため、吸収体を着用者の肌に沿わせようとした場合には吸収体に不規則なシワが発生しやすい。吸収体４の腹側部４Ａ又は背側部４Ｂ、特にその両者に閉鎖用開口領域を形成することで、吸収体のシワの発生を防止しつつ、おむつ着用時の装着感を効果的に向上させることができる。
【００２７】
腹側部４Ａの閉鎖用開口領域４０は、不規則なシワの発生を防止しつつ、吸収体４を、脚周りないし下腹部の肌面形状に沿った曲面形状に変形させる観点から、その長手方向中心線Ｌ４０と、吸収体４の長手方向中心線又はそれに平行な直線Ｌ４とのなす角度のうち鋭角の角度θ１〔図５（ａ）参照〕が、５〜３０°であることが好ましく、より好ましくは５〜２０°である。
背側部４Ｂの閉鎖用開口領域４５は、不規則なシワの発生を防止しつつ、吸収体４を、脚周りないし臀部の肌面形状に沿った曲面形状に変形させる観点から、その長手方向中心線Ｌ４５と、吸収体４の長手方向中心線又はそれに平行な直線Ｌ４とのなす角度のうち鋭角の角度θ２（図６（ａ）参照〕が３０〜８０°であることが好ましく、より好ましくは３０〜６０°である。
臀部と腹部の形状の違いを考慮すると、吸収体のフィット性向上、装着感向上の観点から、背側部４Ｂの閉鎖用開口領域４５の前記角度θ２の値が、腹側部４Ａの閉鎖用開口領域４０の前記角度θ１の値よりも大きいことが好ましい。
尚、閉鎖用開口領域の長手方向中心線は、図６（ａ）に示すように、閉鎖用開口領域の切込部深さ方向の先端点Ｐ上に頂角の頂点４０３を有すると共に閉鎖用開口領域の相対向する一対の縁部４０１，４０２それぞれの上に底角の頂点４０４，４０５を有し、且つ一対の縁部４０１，４０２それぞれと２つの等辺とが交差しない、できるだけ大きな２等辺三角形を想定した場合に前記頂角を２等分する直線とする。閉鎖用開口領域の長手方向中心線が複数存在する場合は、それぞれについて測定する。閉鎖用開口領域の切込部深さ方向の先端付近が曲線ではなく直線であった場合は、直線を形成する線の長さを２等分する点を先端点Ｐとして長手方向中心線を引く。
【００２８】
腹側部４Ａの閉鎖用開口領域４０の長さは、不規則なシワの発生を防止しつつ、吸収体４を、脚周りないし下腹部の肌面形状に沿った曲面形状に変形させる観点から１０〜１００ｍｍであることが好ましく、より好ましくは１５〜５０ｍｍである。
背側部４Ｂの閉鎖用開口領域４５の長さは、不規則なシワの発生を防止しつつ、吸収体４を、脚周りないし臀部の肌面形状に沿った曲面形状に変形させる観点から２０〜１２０ｍｍであることが好ましく、より好ましくは２０〜７０ｍｍである。
各閉鎖用開口領域の長さは、各閉鎖用開口領域毎に上記の２等辺三角形を想定したときの該２等辺三角形の頂角の頂点と底辺（両端に底角を有する辺）との間の距離とする。
【００２９】
また、背側部４Ｂの閉鎖用開口領域４５は、該領域を閉じた際にシワの発生が少ないことから、それぞれ、該領域の切込部深さ方向の先端点Ｐに向かうに従って漸次幅が減少する形状であることが好ましく、特に本実施形態におけるように、平面視して略Ｕ字状ないしＶ字状であることが好ましい。腹側部４Ａの閉鎖用開口領域４０についても同様である。背側部４Ｂの閉鎖用開口領域４５は、不規則なシワの発生を防止しつつ、吸収体４を、脚周りないし臀部の肌面形状に沿った曲面形状に変形させる観点から、開放端側の開口幅が１０〜１００ｍｍであることが好ましく、より好ましくは２０〜６０ｍｍである。
開放端側の開口幅は、各閉鎖用開口領域毎に上記の２等辺三角形を想定したときの該２等辺三角形の底辺（両端に底角を有する辺）の長さとする。
【００３０】
図１〜図３に示した使い捨ておむつ１について説明する。
使い捨ておむつ１は、図１〜３に示すように、パンツ型の使い捨ておむつであり、図３に示すように、液透過性の表面シート２、液不透過性又は撥水性の裏面シート３及び上述した吸収体４を備えている。
おむつ１は、図２に示すように、股下部に配される股下領域Ｃ並びにその前後に位置する腹側領域Ａ及び背側領域Ｂに区分することができる。また、本おむつ１は、図２に示すように、おむつ横方向に延びるおむつ中心線ＣＬを境にして前身頃Ｆと後身頃Ｇとに区分することができる。おむつ１は、腹側部Ａの両側縁部Ａ１，Ａ１と背側部Ｂの両側縁部Ｂ１，Ｂ１とが接合されて一対のサイド接合部２３，２３、ウエスト開口部５及び一対のレッグ開口部６，６が形成されている。
【００３１】
おむつ１は、図２及び図３に示すように、吸収性本体１０と、該吸収性本体１０の外面（着用者とは反対側に向けられる面）側に位置して該吸収性本体１０を固定している外装体２０とからなる。吸収性本体１０は、表面シート２、裏面シート３、これら両シート間に挟持固定された吸収体４及び自由端に糸状弾性部材１１ａが配された一対の立体ガード１１を具備する。外装体２０は、図３に示すように、少なくとも２枚のシート、即ち、おむつ１の外表面（着用者とは反対側に向けられる面）を形成している外層シート２１と、該外層シート２１に隣接してその内側に積層接着された内層シート２２とを具備し、これら両シート間に、後述する各部の弾性部材５１，６１，６２，７１，７２が、ホットメルト型接着剤等の接着剤を用いて伸張状態で固定されている。
【００３２】
図２に示すように、前身頃Ｆ及び後身頃Ｇそれぞれのウエスト開口部近傍５Ａ，５Ｂには、おむつ横方向に沿ってウエスト弾性部材５１が伸張状態で配されている。そして、これらのウエスト弾性部材５１により、ウエスト開口部５の周囲に、実質的にその全周に亘るウエストギャザーが形成されている。
【００３３】
また、おむつ１の前身頃Ｆ及び後身頃Ｇそれぞれのウエスト弾性部材５１よりもおむつ横方向中央線ＣＬ側（図１に示す状態においては下方側）には、おむつ幅方向の両端部におけるよりもおむつ幅方向中央部側においておむつ横方向中央線ＣＬに近づくように、それぞれ湾曲させて、前身頃湾曲弾性部材７１及び後身頃湾曲弾性部材７２が配されている。おむつ１における前身頃湾曲弾性部材７１及び後身頃湾曲弾性部材７２は、それぞれ、おむつ幅方向に分割された状態に配されており、吸収体４の幅方向中央部と重なる部分には、実質的に存在していない。
【００３４】
また、おむつ１における、着用者の脚周りに配される部位であるレッグ部６０それぞれには、第１及び第２のレッグ弾性部材６１，６２が配されている。これらのレッグ弾性部材６１，６２は、股下領域において重なるか又は近接しており、これらの弾性部材により、レッグ開口部６それぞれの開口周縁部に、実質的にその全周に亘って実質的に連続するレッグギャザーが形成されている。
【００３５】
おむつ１に組み込まれた状態の吸収体４は、腹側部４Ａが前身頃Ｆに位置し、背側部４Ｂが後身頃Ｇに位置している。そして、おむつ１が図１に示すような立体形状とされたときには、腹側部４Ａの閉鎖用開口領域４０は、主として、上述した弾性部材７１及び６１の収縮作用により閉じ、背側部４Ｂの閉鎖用開口領域４５は、主として、上述した弾性部材７２及び６２の収縮作用により閉じるようになされている。
このように、吸収体４は、吸収体４が組み込まれる吸収性物品に配された弾性部材の収縮作用によって各閉鎖用開口領域４０，４５が閉じるようにして使用されることが好ましい。尚、吸収体４の弾性部材５１，６１，６２，７１，７２，７１，７２の形成材料としては、使い捨ておむつ等に用いられる各種公知の弾性材料を用いることができ、例えば素材としては、スチレン−ブタジエン、ブタジエン、イソプレン、ネオプレン等の合成ゴム、天然ゴム、ＥＶＡ、伸縮性ポリオレフィン、ウレタン等の伸縮性の素材を広く用いることができ、例えば形態としては、断面が矩形、正方形、円形、多角形状、マルチフィラメントタイプ等の、糸状や紐状のもの、或いは帯状のもの等を用いることができる。
【００３６】
以上、本発明の好ましい実施形態について説明したが、本発明は、上述した実施形態に制限されない。
例えば、本発明の吸収性物品の吸収体は、人の肌に当接させて使用される各種の吸収性物品の吸収体として用いることができ、成人用又は幼児用のパンツ型おむつの他、いわゆる展開型（テープ止め型）の使い捨ておむつ、使い捨ておむつの肌当接面に載置されて該おむつを併用される補助吸収パッド、失禁パッド、生理用ナプキン、パンティライナー（おりものシート）、母乳パッドの吸収体として用いることもできる。
【００３７】
また、吸収体を構成する吸収材の層数は３層以上であってもよい。この場合、第１吸収材は、吸収性物品の肌当接面側から最も離れた最下層の吸収材とし、第１吸収材に隣接して第１吸収材上に重なった吸収材を第２吸収材とし、３層目以降を、順に第３吸収材、第４吸収材とする。吸収材層が３層以上である場合は、総ての層において切込部の形状が異なり（例えば３層目と４層目が同一形状で完全に重なるということがなく）、閉鎖用開口領域の相対向する一対の縁部の一方又は両方において、当該縁部から離れるに従って、吸収材の層数が段階的に増加するようになされていることが、吸収体のシワ低減の観点から好ましい。
【００３８】
また、上述した実施形態の吸収体４は、腹側部４Ａ及び背側部４Ｂの両方に閉鎖用開口領域４０，４５を有していたが、何れか一方のみに閉鎖用開口領域を有するものであってもよい。また、上述した実施形態における閉鎖用開口領域４５のように、相対向する一対の縁部それぞれの側において、第１吸収材の切込部の縁部より第２切込部の縁部の位置を後退させるのに代えて、図７に示すように、一方の縁部４０１側においては、第１吸収材４１の切込部の縁部より第２切込部４６の縁部の位置を後退させ、他方の縁部側４０２においては、第２吸収材４６の切込部の縁部より第１吸収材４１の切込部の縁部の位置を後退させた構成とすることもできる。
不規則なシワの発生を防止しつつ、吸収体４を、下腹部ないし臀部の肌面形状に沿った曲面形状に変形させる観点から、閉鎖用開口領域が吸収体４の長手方向端部にも形成していることが好ましく、少なくとも吸収体４の背側部側の端部４Ｅに形成していることが好ましい。
【図面の簡単な説明】
【００３９】
【図１】図１は、本発明の一実施形態としての吸収体を組み込んだパンツ型おむつを、その前身頃側から見た状態を示す斜視図である。
【図２】図２は、図１のパンツ型おむつの展開且つ伸張状態を示す平面図である。
【図３】図３は、図２のＸ−Ｘ線断面図である。
【図４】図４は、本発明の一実施形態としての吸収体を示す図であり、図４（ａ）は、第２吸収材側から見た状態を示す平面図、図４（ｂ）は、第２吸収材のみを示す平面図、図４（ｃ）は、第１吸収材のみを示す平面図である。
【図５】図４に示す吸収体の腹側部に形成された閉鎖用開口領域の詳細を示す図であり、図５（ａ）は、図４の一部を拡大して示す平面図、図５（ｂ）は、図５（ａ）のＩＩ−ＩＩ線断面図、図５（ｃ）は、閉鎖用開口領域が閉じた状態を示す図５（ｂ）相当図である。
【図６】図４に示す吸収体の背側部に形成された閉鎖用開口領域の詳細を示す図であり、図６（ａ）は、図４の一部を拡大して示す平面図、図６（ｂ）は、図６（ａ）のＩＩＩ−ＩＩＩ線断面図、図６（ｃ）は、閉鎖用開口領域が閉じた状態を示す図６（ｂ）相当図である。
【図７】本発明の他の実施形態としての吸収体を示す図であり、吸収体の背側部及びその近傍部のみを示す図である。
【符号の説明】
【００４０】
１    パンツ型おむつ
２    表面シート
３    裏面シート
４    吸収体
４Ａ  腹側部
４Ｂ  背側部
４Ｃ  中央部
４０，４５  閉鎖用開口領域
４１  第１吸収材
４２，４３  第１吸収材の切込部
４６  第２吸収材
４７，４８  第２吸収材の切込部
４０１，４０２  閉鎖用開口領域の相対向する一対の縁部
５    ウエスト開口部
５１  ウエスト弾性部材
Ａ    腹側領域
Ｂ    背側領域
Ｃ    股下領域
Ｆ    前身頃
Ｇ    後身頃
【図１】
0004679300.tif 000002
【図２】
0004679300.tif 000003
【図３】
0004679300.tif 000004
【図４】
0004679300.tif 000005
【図５】
0004679300.tif 000006
【図６】
0004679300.tif 000007
【図７】
0004679300.tif 000008